(57)【要約】【課題】視聴者の好むタイミングで同一番組または同一ジャンルの番組に切り替えて継続視聴ができるデジタル放送受信装置を得る事を目的とする。【解決手段】本発明に係るデジタル放送受信装置２００は、デジタル放送を受信するデジタル放送受信装置２００であって、視聴する番組を切り替えるときの所定の切り替え条件を可変に設定可能な切り替え設定部１１７、受信している番組に係る所定の変化を検出する番組ジャンル切り替わり検出部１１１、各部を制御する制御部１０７を備え、制御部１０７は、所定の変化をトリガとし、切り替え設定部１１７の設定に基づき自動的に視聴する番組の切り替え制御を行う。【選択図】  図１
2010068281.tif 000002
【特許請求の範囲】
【請求項１】
デジタル放送を受信するデジタル放送受信装置であって、
視聴する番組を切り替えるときの所定の切り替え条件を可変に設定可能な切り替え設定部と、
受信している番組に係る所定の変化を検出する検出部と、
前記各部を制御する制御部と、を備え、
前記制御部は、前記所定の変化をトリガとし、前記切り替え設定部の設定に基づき自動的に視聴する番組の切り替え制御を行う、
デジタル放送受信装置。
【請求項２】
前記デジタル放送より各番組のジャンル情報を抽出するジャンル抽出部をさらに備え、
前記検出部は前記ジャンル情報より、前記所定の変化として視聴している番組のジャンル切り替わりを検出するジャンル切り替わり検出部である、
請求項１に記載のデジタル放送受信装置。
【請求項３】
前記検出部は前記所定の変化として視聴している番組の受信不可を検出する受信不可検出部である、
請求項１に記載のデジタル放送受信装置。
【請求項４】
前記所定の切り替え条件は視聴中の番組のジャンルを含む、
請求項１に記載のデジタル放送受信装置。
【請求項５】
前記所定の切り替え条件は視聴する番組の切り替えタイミングを含む、
請求項１に記載のデジタル放送受信装置。
【請求項６】
前記所定の切り替え条件は視聴する番組の切り替え先を含む、
請求項１に記載のデジタル放送受信装置。
【請求項７】
前記切り替えタイミングの設定項目は、ＣＭ放送時、受信レベルの悪化時、番組の終了時のうち、少なくとも一つを含む、
請求項５に記載のデジタル放送受信装置。
【請求項８】
前記切り替え先の設定項目は、視聴中の番組と同一番組、視聴中の番組と同一ジャンル番組、視聴者の嗜好性の高い番組のうち、少なくとも一つを含む、
請求項６に記載のデジタル放送受信装置。
【請求項９】
前記デジタル放送より各番組のジャンル情報を抽出するジャンル抽出部と、
映像表示部と、をさらに備え、
前記制御部は、前記ジャンル情報に基づき前記映像表示部を介して視聴する番組の選択可能な切り替え先の一覧表示を行う、
請求項１に記載のデジタル放送受信装置。
【請求項１０】
前記制御部は、前記一覧表示の中から、電波状態の最も良い番組に切り替え制御を行う、
請求項９に記載のデジタル放送受信装置。
【請求項１１】
前記制御部は、前記一覧表示の中から、視聴者の嗜好度が最も高い番組に切り替え制御を行う、
請求項９に記載のデジタル放送受信装置。
【請求項１２】
前記制御部は、前記一覧表示を所定のタイミングで更新して表示する、
請求項９に記載のデジタル放送受信装置。
【請求項１３】
前記制御部は、外部からの選択により前記切り替え制御を停止する機能を備える、
請求項１に記載のデジタル放送受信装置。
【請求項１４】
前記制御部は、外部からの選択により前記ジャンル抽出部による前記ジャンル情報の抽出を停止する機能を備える、
請求項２に記載のデジタル放送受信装置。
【請求項１５】
前記制御部は、外部からの選択により前記一覧表示を停止する機能を備える、
請求項９に記載のデジタル放送受信装置。
【発明の詳細な説明】
【技術分野】
【０００１】
本発明は、デジタル放送受信装置に関する。
【背景技術】
【０００２】
近年、デジタル放送受信装置は、車などの移動体に搭載されている。特許文献１では移動体に放送受信装置を搭載して移動しながら放送を受信し、受信可能な放送がつぎつぎに変化する場合においても、同一の番組を継続的に視聴可能なデジタル放送受信装置およびデジタル放送受信方法が示されている。また、特許文献２では、通常は二つの受信系統を用いたダイバーシティ受信によって、高品位に受信チャネルの受信再生出力を行い、他チャネルについての情報を取得する際には、一方の受信系統を用いてチャネルの受信再生出力を継続しつつ、他方の受信系統を用いて受信チャネル以外のチャネルについての情報を取得する方法が示されている。これらは、デジタル放送を受信できる系統を二つ用意し、一つの系統では視聴者が視聴する番組のチャンネルを受信し、もう一方の系統では視聴者が視聴している番組と同一番組が放送されている別のチャンネルを受信し、視聴者が視聴している番組のチャンネルが受信できなくなった場合は、もう一方の系統で受信していたチャンネルの番組を表示するという手法である。
【０００３】
また、デジタル放送においては音声や映像のほかに各種データを多重化して放送しており、例えばデジタルテレビ放送においては、テレビ映像及び音声のデータのほか、ＥＰＧ（ Ｅｌｅｃｔｒｉｃ Ｐｒｏｇｒａｍ  Ｇｕｉｄｅ： 電子番組表） 等の各種データも付加して多重送信され、その中に現在放送している番組のジャンルを示すデータも存在する。テレビ放送の番組のジャンルについては、大分類としてニュース、スポーツ、情報、ドラマ、音楽、バライティー、映画、アニメなどが分類され、更にその下に小分類が存在して、例えば大分類がスポーツの時サブジャンルとして、野球、サッカー、ゴルフ、バスケットボール、バレーボール、テニス、アメフト、ラグビー、アイスホッケー、ウィンター、モーター、マリンスポーツ、水泳、相撲、格闘技、プロレス、ボクシング、陸上競技、オリンピック、ワールドカップ、国際大会、競馬、競輪、競艇等の小分類が存在することにより、合計２５０程度の分類情報が付与されている。デジタルラジオ放送においても、ニュース、時事、スポーツ、教育、軽音楽、クラシック等々のジャンル分けが行われている。
【０００４】
【特許文献１】特開２００１−０７７７１２号公報
【特許文献２】特開２００５−１１７２２６号公報
【発明の開示】
【発明が解決しようとする課題】
【０００５】
しかしながら、上述した文献による方法では、移動により受信状態が変化したとき、もう一方の系統で受信していたチャンネルの番組に、視聴者の好む切り替えタイミングではないタイミングで切り替えられていたため、番組が途切れて見逃してしまうという問題があった。
【０００６】
また、番組の受信が出来なくなった場合や番組が終了した場合に、視聴者が番組を選択するとき、現在地の放送エリアで受信可能な番組の中から、視聴したいジャンルの番組が何処の放送局で放送しているのか即座には把握できなかった。従って、手動でＥＰＧ番組表を表示して番組を探さなければならず、再視聴まで時間がかかってしまったり、探しきれず視聴をあきらめなければならないという問題があった。また、高校野球の試合中継などについて視聴していた放送番組の終了時間が経過し、次番組は視聴していた番組とは異なるジャンルだったとき、運転者が試合中継番組を視聴し続けたいという要望があっても継続視聴は困難であった。
【０００７】
本発明は上記の課題を解決するためになされたもので、視聴者の好むタイミングで同一番組または同一ジャンルの番組に切り替えて継続視聴ができるデジタル放送受信装置を得る事を目的とする。
【課題を解決するための手段】
【０００８】
本発明に係るデジタル放送受信装置は、デジタル放送を受信するデジタル放送受信装置であって、視聴する番組を切り替えるときの所定の切り替え条件を可変に設定可能な切り替え設定部、受信している番組に係る所定の変化を検出する検出部、各部を制御する制御部を備え、制御部は、所定の変化をトリガとし、切り替え設定部の設定に基づき自動的に視聴する番組の切り替え制御を行う。
【発明の効果】
【０００９】
本発明に係るデジタル放送受信装置は、検出部および切り替え設定部を備えており、視聴中の番組が終了したときや、電波の状態により受信ができなくなったとき、切り替え設定部の設定により好みの番組を自動的に継続して視聴することができるという効果がある。また、切り替え設定部の設定によって視聴者の好む切り替えタイミングで切り替えることが可能であり、運転している視聴者等にとってストレスが軽減される。
【発明を実施するための最良の形態】
【００１０】
以下、この発明をその実施の形態を示す図面に基づいて具体的に説明する。
【００１１】
＜実施の形態１＞
（構成）
図１は実施の形態１に係る、デジタル放送を受信するデジタル放送受信装置２００のブロック図であって、各部を制御する制御部１０７はチューナ部１００、復調部１０１、デマルチプレクス部１０２、映像・音声デコード部１０３と接続される。映像・音声デコード部１０３は、音声出力部１０５および映像表示部１０４と接続され、映像表示部１０４はＯＳＤ表示回路部１１６と接続される。また、制御部１０７は受信不可検出部１０６、番組ジャンル切り替わり検出部１１１、切り替え設定部１１７、系列局記憶部１０８、現在位置検出部１０９と接続され、各部を制御する。切り替え設定部１１７は、視聴する番組を切り替えるときの切り替え条件が可変に設定可能である。また、受信不可検出部１０６、および番組ジャンル切り替わり検出部１１１は、受信している番組に係る所定の変化を検出する検出部である。
【００１２】
チューナ部１００、復調部１０１のいずれか、または両方について、本受信機では、複数のアンテナ出力を複数のチューナ部でそれぞれ受信するダイバーシティ構成など、視聴中に並行してサーチやチャンネル選局できる構成となっている。すなわち、第１系統、および第２系統を備える。
【００１３】
番組ジャンル切り替わり検出部１１１は、ＥＰＧ情報検出部１１２および指定ジャンル登録部１１３を備え、番組ジャンル切り替わり検出部１１１は指定ジャンルリスト作成部１１４と接続される。指定ジャンルリスト作成部１１４は、キーワード登録部１１５を備える。また、ＧＰＳ部１１０は現在位置検出部１０９と接続される。なお、指定ジャンルリスト作成部１１４は、実施の形態３で使用されるものである。
【００１４】
（動作）
以上のように構成されたデジタル放送受信装置２００において、以下に動作を説明する。アンテナで受信した信号は、チューナ部１００で選局され特定の周波数の信号を抽出する。復調部１０１は、チューナ部１００からの信号を復調、誤り訂正しトランスポートストリームを出力する。選局された信号に多重された弱階層、強階層の各階層の情報について、チューナ部１００はＰＬＬロック情報を、復調部１０１はアンテナ受信レベル、受信Ｃ／Ｎ情報、フレームロック情報、誤り率情報の各種情報の中から少なくとも１つを出力する。
【００１５】
その後、デマルチプレクス部１０２でＰＳＩ情報、ＳＩ情報から番組情報等の抽出が行われ記憶される。抽出したＰＳＩ情報、ＳＩ情報からＥＩＴ映像、音声パケットのＰＩＤ値が得られ、各ＰＩＤで映像、音声パケットのフィルタリングを行い、映像・音声デコード部１０３に出力される。映像・音声デコード部１０３では、映像、音声パケットのデコードを行い、映像表示部１０４、音声出力部１０５にデータ出力することで映像、音声が表示される。
【００１６】
車載、携帯等の移動体におけるデジタル放送受信装置２００の場合、移動することで受信中の放送局のエリア外になることや、地上構造物による影響等で受信不可となる。チューナ部１００からのＰＬＬロック情報または復調部１０１からのアンテナ受信レベル、Ｃ／Ｎ、フレームロック情報、誤り率の情報等は、受信不可検出部１０６に通知される。
【００１７】
受信不可検出部１０６へは、チューナ部１００、復調部１０１を制御することなく強階層、弱階層それぞれの情報が同時に通知される。さらにデマルチプレクス部１０２からは、ＰＡＴ、ＰＭＴが所定の時間間隔で到来しなかった場合に、ＰＡＴ（Ｐｒｏｇｒａｍ  Ａｓｓｏｃｉａｔｉｏｎ  Ｔａｂｌｅ）の途絶通知、ＰＭＴ（Ｐｒｏｇｒａｍ  Ｍａｐ  Ｔａｂｌｅ）の途絶通知が通知される。また、トランスポートストリームにおいて１８８バイト毎に同期バイトが検出されない場合に同期ロストの通知が通知される。さらにトランスポートパケットのヘッダ中に存在する連続性カウンタ値の不連続を検出した際にパケットロストの通知がなされる。
【００１８】
また映像・音声デコード部１０３からは、デコードエラー検出時にエラー通知、もしくはエラー率が受信不可検出部１０６へ通知される。これら情報から受信不可検出部１０６は受信不可状態もしくは受信不可直前であると判断した場合、制御部１０７に受信不可の通知を行う。すなわち、受信不可検出部１０６は、視聴している番組の受信不可を検出する検出部となる。
【００１９】
制御部１０７は、受信不可検出部１０６からの受信不可通知をトリガにして、切り替え設定部１１７の設定に基づき切り替え制御を行う。切り替え制御は、例えば現在位置検出部１０９からの現在位置情報と、系列局記憶部１０８からの系列局又はＭＦＮのチャンネル情報データベースから選局候補を抽出し、チューナ部１００に選局指示を行う。なお、トリガとしては受信不可通知のみではなく、後述する番組ジャンル切り替わり検出部１１１によるジャンル切り替わりの通知も含まれる。すなわち、制御部１０７は、番組に係る所定の変化をトリガとし、切り替え設定部１１７の設定に基づき切り替え制御を自動的に行う。
【００２０】
次に、切り替え設定部１１７の設定に関する動作について図５を用いて説明する。図５は視聴者の設定した切り替え条件表のイメージ図である。切り替え条件として、左から、現在視聴中の番組ジャンル、視聴する番組の切り替えタイミング、視聴する番組の切り替え先が優先順位に並んでいる。この視聴者の場合、番組のジャンルについて大分類がスポーツで中分類がサッカーの場合、アンテナレベルが悪化しても次のＣＭまで視聴しつづけ、ＣＭ時に切り替え先として第２系統で選局している視聴中の番組と同一番組に切り替える。
【００２１】
ＣＭは１時間に４〜５回あり、この検出方法はいろいろある。以下に一例を記す。デマルチプレクス部１０２でフィルタリングしたＰＭＴ（Ｐｒｏｇｒａｍ  Ｍａｐ  Ｔａｂｌｅ）に記載されている音声エレメンタリーストリームの個数変化、ＰＩＤ値変化等の構成変化、又は字幕ＰＥＳ（Ｐａｃｋｅｔｉｚｅｄ  Ｅｌｅｍｅｎｔａｒｙ  Ｓｔｒｅａｍ）データの有無、個数変化、ＰＩＤ値の変化の検出を行う。さらに、デマルチプレクス部１０２から検出した字幕ＰＥＳデータに格納された字幕データの有無の変化を検出する。また映像・音声デコード部１０３からの音声モードの変化検出情報を用いて、モノラル、ステレオ、マルチチャンネルステレオのどの音声モードかの把握を行いこれにより音声モードの変化を検出する。また音声出力部１０５から一定時間の無音の検出を行い、その前後で平均的な音量の差が大きいところを検出しＣＭと検出する。
【００２２】
図６に示すように第２系統で選局したチャンネルが強階層か弱階層によって第１回目のＣＭで切り替えるのか第２回目のＣＭで切り替えるという選択肢があっても良い。すなわち、選局したチャンネルが強階層か弱階層によって切り替えるタイミングを変えても良い。
【００２３】
切り替え設定部１１７では、視聴者がどんな番組を視聴しているとき、どのタイミングで番組切り替えを行い、どの番組に切り替えるかという切り替え条件を前もって視聴者が入力し、これを記憶させておく。切り替えタイミングの設定項目としては、図５に示すようにＣＭ放送時、アンテナ受信レベルの悪化時、番組の終了時等がある。また切り替え先の設定項目としては、視聴中の番組と同一番組、視聴中の番組と同一ジャンル番組、視聴者の嗜好性の高い番組（実施の形態３で詳細に説明する。）、切り替え先の番組の受信レベル（実施の形態２で詳細に説明する。）等がある。切り替えタイミングと切り替え先の組み合わせは、任意である。これらは、過去に視聴者がどんな番組を視聴しているとき、どのタイミングで番組切り替えを行い、どの番組に切り替えたかという内容より自動的に設定されても良い。
【００２４】
ここで、ジャンル情報は番組情報のひとつである。このジャンル情報は、その番組が属するジャンルがどのようなものであるかを示すものであり、「スポーツ」、「ニュース・報道」、「映画」、「ドラマ」等のジャンル大分類や、「野球」、「サッカー」、「国内ドラマ」、「海外ドラマ」、「洋画」、「邦画」等のジャンル中分類に分類される（これらジャンル大分類、ジャンル中分類の個々を属性と称する）。
【００２５】
図５については、左側に視聴中の番組のジャンルが示されている。大分類のスポーツには中分類であるサッカー、テニス、野球などが含まれている。現在視聴中の番組情報よりジャンル、キーワードを選出し、番組ジャンル切り替わり検出部１１１から視聴者が現在視聴中の番組の分類を検出する。また、ここから推測される次番組候補番組を切り替え設定部の設定に基づき検出する。
【００２６】
次に、上述した番組ジャンル切り替わり検出部１１１によるジャンル切り替わりの通知、および切り替え設定部１１７からの切り替え条件成立通知によるトリガについて説明する。番組ジャンル切り替わり検出部１１１では、ＥＰＧ情報に含まれるＥＩＴテーブルに記載されている番組付加情報の中から現在視聴中の番組や放送予定の番組の属するジャンルを検出する。これを指定ジャンル登録部１１３に記憶させ、これをキーワードにＧＰＳからの位置情報から受信出来る系列局、ＭＦＮ局をサーチした一覧から、同一ジャンルの番組を検索する。
【００２７】
番組ジャンル切り替わり検出部１１１は、通知された視聴中の番組や放送予定の番組のジャンルを検出し、それがあらかじめ視聴者により設定された切り替え条件にあるか否か（例えば番組終了によって、次の番組ではジャンルが変わるか。）チェックを行う。すなわち、番組ジャンル切り替わり検出部１１１はデジタル放送より各番組のジャンル情報を抽出し、ジャンル情報より、視聴している番組のジャンル切り替わりを検出する。あれば切り替え準備状態の動作に入る。
【００２８】
切り替え条件が満たされたと切り替え設定部１１７が判断した際、切り替え設定部１１７からの切り替え条件成立通知を制御部１０７に通知する。これを受け第２系統で選局していた切り替え先の番組に制御部１０７は切り替え表示する。すなわち、番組ジャンル切り替わり検出部１１１は、デジタル放送より各番組のジャンル情報を抽出するジャンル抽出部であるとともに、ジャンル情報より視聴している番組のジャンル切り替わりを検出するジャンル切り替わり検出部となる。
【００２９】
ここで、切り替え先の設定が、視著中の番組と同一番組であるとき、第２系統は、視聴と並行に、系列局、ＭＦＮ局のサーチを行い、視聴番組と同一の番組を選局している。これは系列局のトランスポートストリーム、またはＭＦＮのトランスポートストリームである。ここで系列局のトランスポートストリームは互いに物理ＣＨが異なりかつ内容も異なる。但し同一時刻に同一番組を行っている可能性が高い。またＢＩＴ（Ｂｒｏａｄｃａｓｔｅｒ Ｉｎｆｏｒｍａｔｉｏｎ  Ｔａｂｌｅ）で伝送されるａｆｆｉｌｉａｔｉｏｎ＿ｉｄの値は同一値を有する。一方ＭＦＮのトランスポートストリームは、送信される物理ＣＨが異なるだけで、番組を含めた中身は全く同一である。従ってａｆｆｉｌｉａｔｉｏｎ＿ｉｄの値も同一である。なお、ａｆｆｉｌｉａｔｉｏｎ＿ｉｄの値はＢＩＴ以外にカルーセル形式で伝送される周波数リスト内にも存在する。周波数リストは全国分の情報が格納されている。
【００３０】
図２は、本実施の形態に係るデジタル放送受信装置２００の動作の一例を表すフローチャートである。ステップＳ１で放送によって送られてくる番組案内情報を取得する。番組案内情報はたとえば、番組名などの番組を識別する識別情報、放送開始時間、放送終了時間および番組のジャンルを示す番組ジャンル情報などを含む情報である。
【００３１】
ステップＳ２は、ＥＰＧ情報検出部１１２によって取得された番組案内情報から各番組のジャンルを示す番組ジャンル情報を抽出する。番組ジャンル切り替わり検出部１１１が検出する番組ジャンル情報には、現在放送中の各番組のジャンルを示す放送中番組ジャンル情報と、放送予定の各番組のジャンルを示す予定番組ジャンル情報とがある。この２つのジャンルの中で、指定ジャンル登録部１１３で登録された指定ジャンルと同じものを検出する。
【００３２】
これと並行に、現在視聴中の番組終了後放送予定の番組のジャンルが指定ジャンルと同じであるか否かをチェックする。同じであれば、受信状態チェックを行う。アンテナ受信レベルなど受信可能かどうかのチェックについて、図１のチューナ部１００はＰＬＬロック情報を、復調部１０１はアンテナ受信レベル、受信Ｃ／Ｎ情報、フレームロック情報、誤り率情報でチェックを行う。アンテナ受信レベルが視聴に問題無ければ次の放送が開始されてもこのチャンネルを視聴する。
【００３３】
ステップＳ３は、Ｔ分視聴している現在放送中の番組の詳細番組情報を取得する。このためにＥＩＴ（Ｅｖｅｎｔ  Ｉｎｆｏｒｍａｔｉｏｎ  Ｔａｂｌｅ）を取得しこれから番組開始時刻、終了時刻、出演者等を把握する。ステップＳ４はステップＳ３で取得した情報からジャンルを大分類から中分類まで指定し、出演者などキーワードになるものを抽出しジャンルの指定をする。ステップＳ５はステップＳ４で抽出されたキーワードを登録する。また、ＥＩＴから得た終了時間を図１の制御部１０７に知らせておく。
【００３４】
ステップＳ６はステップＳ４，ステップＳ５で抽出されたキーワードとジャンルが同じものがあるか否かステップＳ１、ステップＳ２で取得した番組ジャンルの中から検索し、視聴中の番組と同一ジャンルの番組を抽出する。ヒットしたジャンルは指定ジャンル登録１１３に登録する。
【００３５】
ステップＳ７では現在位置が系列局放送局の受信可能エリアかどうかをチェックする。図１の現在位置検出部１０９からの現在位置情報と、系列局記憶部１０８からの系列局又はＭＦＮのチャンネル情報データベースから選局候補を抽出し、チューナ部１００に選局指示を行う。現在位置検出部１１０は、現在受信中のトランスポートストリームのＮＩＴ（Ｎｅｔｗｏｒｋ  Ｉｎｆｏｒｍａｔｉｏｎ  Ｔａｂｌｅ）に記載の地域識別値からその隣接県域を現在位置と推定してもよいし、ＧＰＳ部１１０からの位置情報を用いてもよい。現在位置検出部１０９からの現在位置情報と、系列局記憶部１０８からの系列局又はＭＦＮのチャンネル情報データベースから選局候補を抽出し、チューナ部１００に選局指示を行う。
【００３６】
ステップＳ８は、ステップＳ７で系列局有りと判断された場合、自動で系列局をサーチし、受信できた放送局を系列局記憶部１０８に現在位置の情報とともに記録する。
【００３７】
ステップＳ９は、ステップＳ８でサーチ検出した系列局の中から番組ジャンル情報を抽出する。ステップＳ１０は視聴中の番組と同一番組の抽出を行うため系列局、ＭＦＮ局サーチを行う。
【００３８】
ステップＳ２０１は、ステップＳ１０の検出結果から図１の切り替え設定部１１７で記憶している図４で示したような視聴者の切り替え設定表に基づき、現在の視聴番組がこの条件にあるかどうか検出しあれば切り替え設定であるステップＳ２０２に移動する。視聴番組が切り替え条件にない場合はステップＳ２０３に進む。なお、切り替え設定表が設定されていなければ、切り替え履歴情報に基づき条件が設定されてもよい。
【００３９】
ステップＳ２０３は、視聴と並行に第２系統で切り替え条件にあった切り替え先の番組のサーチ選局を行う。ステップＳ２０４で現在の視聴番組状態をチェックし、ステップＳ２０５で切り替え条件が満足するのを監視し続け、条件が満足したときステップＳ１５にて制御部が切り替え指示を出し番組表示が切り替えられる。
【００４０】
（効果）
本発明に係るデジタル放送受信装置２００は、番組ジャンル切り替わり検出部１１１および切り替え設定部１１７を備えており、番組ジャンル切り替わり検出部１１１は事前にＥＰＧ（ Ｅｌｅｃｔｒｉｃ   Ｐｒｏｇｒａｍ  Ｇｕｉｄｅ： 電子番組表）から番組のジャンルが切り替わることを知ることができ、ＳＩ情報の中にあるＥＩＴ（Ｅｖｅｎｔ  Ｉｎｆｏｒｍａｔｉｏｎ  Ｔａｂｌｅ）から番組開始時刻、終了時刻を把握するようにした。従って、放送番組のジャンルを検出し、ジャンルの切り替わりが放送終了前に検出できるので、視聴中の番組が終了し異なるジャンルの番組が始まる前に自動で同一のジャンルの番組を継続して視聴することができるという効果がある。また、受信状態が悪くなったときについても、同一のジャンルの番組を継続して視聴することができる。
【００４１】
また、切り替え設定部１１７の設定によって視聴者の好む切り替えタイミングで切り替えることができるため、運転している視聴者にとってストレスが軽減されるという効果がある。
【００４２】
本発明は、受信が途切れたとき等に視聴者の好みに合った番組を、ＧＰＳ（Ｇｌｏｂａｌ  Ｐｏｓｉｔｉｏｎｉｎｇ Ｓｙｓｔｅｍ）から現在地を割り出しその場所の放送エリアから確実に受信出来る番組のジャンルリストの作成も可能であり表示するようにしたので、選局した際、受信状態が悪く、視聴できないようなことがないようにした。
【００４３】
＜実施の形態２＞
（構成）
図１は、本実施の形態に係るデジタル放送受信装置２００のブロック図である。本実施の形態において、制御部１０７は、ジャンル情報に基づき映像表示部１０４を介して視聴する番組の選択可能な切り替え先の一覧表示を行う機能を備える。また、図２のステップＳ２０１〜ステップＳ２０５の処理の後に受信チェックを行い、一覧表示の中から電波状態の最も良い番組に切り替え制御を行う機能を備える。その他の構成は同じであるので、ここでの詳細な説明は省略する。
【００４４】
（動作）
図３は、本実施の形態に係るデジタル放送受信装置２００の動作を示すフローチャートである。ステップＳ１〜ステップＳ１０迄の処理は、実施の形態１で示した図２のステップＳ２００〜ステップＳ１０と同様であるため省略する。
【００４５】
Ｓ１０の抽出結果から図１の切り替え設定部１１７で記憶している切り替え履歴情報と図４で示したような視聴者の切り替え設定表に基づき、現在の視聴番組がこの条件にあるかどうか検出し、あればステップＳ２００の切り替え準備処理に移動する。ステップＳ２００は図２のステップＳ２０１〜ステップＳ２０５までの処理を示す。ステップＳ２００で現在の視聴番組状態をチェックし、切り替え条件が満足したときステップＳ１１にすすむ。なお、本実施の形態における切り替え条件の切り替え先は、視聴中の番組と同一ジャンル番組に設定されているとする。
【００４６】
本実施の形態においては、図に示すようにステップＳ２００の後に、ステップＳ１１、すなわちアンテナ受信レベルなど受信可能かどうかのチェックを行う。チェック方法は図１のチューナ部１００でＰＬＬロック情報を復調部１０１はアンテナ受信レベル、受信Ｃ／Ｎ情報、フレームロック情報、誤り率情報の各種情報の中から少なくとも１つを出力させ、これをチェックして受信可能か否か判断する。受信可能なものをアンテナ受信レベルの高いものを優先付けしてステップＳ１２に移る。ステップＳ１２で受信可能な現在視聴と同一ジャンルの番組表を作成する。
【００４７】
ステップＳ１３では、ステップＳ３で取得し図１の切り替え設定部１１７で設定された終了時間を機に、制御部１０７が表示の指令を送る。ステップＳ１４の同一ジャンル番組表で作成されたデータをＯＳＤ表示回路部１１６に送りＯＳＤ表示処理を行い、映像表示部１０４に送信する。視聴番組終了（ステップＳ１３）と共に選局された番組の映像と音声を出力回路に送り、映像表示部１０４においてＯＳＤ表示処理された番組表と合成して表示する（ステップＳ１４）。その後、一覧表示の中から電波状態の最も良い番組に自動的に切り替える（ステップＳ１５）。なお、視聴者は見たい番組を選択し切り替えてもよい。
【００４８】
番組表を透けるような表示にして後ろで番組が見られるような表示でも良い。また、子画面のような装備があれば子画面に番組表を表示しても良い。
【００４９】
（効果）
本実施の形態においては、視聴する番組の選択可能な切り替え先の一覧表示を行うため、視聴者は見たい番組を選択する事が可能である。また、切り替える直前にアンテナ受信レベル等により切り替え先のチャンネルが受信可能かどうかのチェックが行われる。従って、受信可能な番組に切り替えることが可能である。
【００５０】
＜実施の形態３＞
（構成）
図１は、本実施の形態に係るデジタル放送受信装置２００のブロック図である。本実施の形態に係るデジタル放送受信装置２００は、実施の形態１で示した図１と同様である。但し、本実施の形態においては、指定ジャンルリスト作成部１１４が使用される。また、制御部１０７は、ジャンル情報に基づき映像表示部１０４を介して視聴する番組の選択可能な切り替え先の一覧表示を行う機能を備え、一覧表示の中から、視聴者の嗜好度が最も高い番組に切り替え制御を行う機能を備える。その他の構成は同じであるので、ここでの詳細な説明は省略する。
【００５１】
（動作）
本実施の形態は、実施の形態２で示した図３に示すフローチャートのステップＳ６において、さらに視聴者の嗜好を考慮した処理が行われる。なお、本実施の形態における切り替え条件の切り替え先は、視聴者の嗜好性の高い番組に設定されているとする。
【００５２】
番組ジャンル切り替わり検出部１１１によって、現在視聴している番組から番組に関するデータが抽出され、抽出された文字列は、一旦、図１の指定ジャンル登録部１１３に記憶、登録され、さらに例えば「出演者名」としての検索用キーワードとして用いられる。すなわち、抽出された文字列は、単なる文字列ではなく、「出演者名」の属性を付加された検索用キーワードとしてキーワード登録部１１５にてデータ蓄積される。この情報で検索した番組の視聴時間をカウントして記憶させ、視聴者の嗜好のデータとして保存する。
【００５３】
番組ジャンル切り替わり検出部１１１が検出する番組ジャンル情報には、現在放送中の各番組のジャンルを示す放送中番組ジャンル情報と、放送予定の各番組のジャンルを示す予定番組ジャンル情報とがある。この２つのジャンルの中で、指定ジャンル登録部１１３で登録された指定ジャンルと同一のものを検出する。
【００５４】
さらに、キーワード登録部１１５におけるカウントの高いものから順に記載したジャンルリストを同一ジャンル番組表に反映し、嗜好性の高いものから順に並べた表を出力する。その後、一覧表示の中から嗜好性の高いものに自動的に切り替える。なお、視聴者は見たい番組を選択し切り替えてもよい。すなわち、ＥＰＧ情報検出部１１２から出力される、前記ジャンルの大分類、中分類情報とＥＩＴにおける例えば「出演者」の項目とをキーワードにして次番組の候補を検出する。
【００５５】
その他の動作は実施の形態２と同様であるため、ここでの詳細な説明は省略する。
【００５６】
（効果）
本実施の形態においては、同ジャンルの番組を選択する際、視聴者の嗜好性を反映させることが可能である。
【００５７】
＜実施の形態４＞
（構成）
図１は、実施の形態１に係るデジタル放送受信装置２００のブロック図である。本実施の形態において、制御部１０７は、図３のステップＳ１〜ステップＳ１５迄の一連の処理を行った後、視聴番組の受信レベルの変化に対応した処理を行う機能を備える。すなわち制御部１０７は、一覧表示を所定のタイミングで更新して表示する機能を備える。その他の構成は実施の形態２と同様であるため、ここでの詳細な説明を省略する。
【００５８】
（動作）
図４は、本実施の形態に係るデジタル放送受信装置２００の動作を示すフローチャートである。移動に伴うまたは、時間ごとに変化する放送エリアにあった同一ジャンルの番組表を更新し表示できる動作を以下に説明する。ステップＳ１００は、図３のステップＳ１〜ステップＳ１５迄の一連の処理を省略したものである。すなわちステップＳ１０１以降は、切り替えが行われた後の処理を示す。
【００５９】
ステップＳ１０１は図１のチューナ部１００でＰＬＬロック情報を復調部１０１はアンテナアンテナ受信レベル、受信Ｃ／Ｎ情報、フレームロック情報、誤り率情報の監視を行う。アンテナアンテナ受信レベルがαｄＢ変化したときステップＳ１０２による系列局サーチを、現在視聴に使用しているのとは別のチューナ、もしくは複数のアンテナ出力を複数のチューナ部でそれぞれ受信するダイバーシティ構成のもので系列局サーチを視聴と並行に行う。
【００６０】
系列局サーチは、それまで受信していたトランスポートストリームと同系列局のトランスポートストリームまたはＭＦＮ関係のトランスポートストリームが他チャンネルで送信されていないかをサーチする状態である。系列局記憶部１０８に保存されている情報は、各県域で受信できるトランスポートストリームのＩＤとそれらａｆｆｉｌｉａｔｉｏｎ＿ｉｄ、及び送信周波数などストリームのチャンネル情報、送信電力等である。この情報はダウンロードした周波数リストから抽出したものであってもよいし、移動しながら作成した受信履歴から作成したものであってもよい。
【００６１】
ステップＳ１０２でサーチ検出された系列局の中から番組ジャンル情報を抽出する。抽出方法は図１のＥＰＧ情報検出部１１２によって取得された番組案内情報から各番組のジャンルを示す番組ジャンル情報を抽出する。抽出するジャンル情報、キーワード項目は実施の形態２と同じである。ステップＳ１０２で抽出された番組ジャンル情報の項目内容と現状の同一ジャンル番組表の項目内容と異なっていないかどうかチェックを行う。例えば番組の終了時間、開始時間、出演者が異なっていればステップＳ１０４で同一ジャンル番組表の更新を行い一覧表示する。
【００６２】
ステップＳ１０１において受信レベルの変化がない場合は、現在の視聴中の放送エリアのＥＰＧの取得を行い図２のステップＳ２による番組ジャンル情報の抽出を行い、現状の同一ジャンル番組表の項目内容と異なっていないかどうかチェックを行う。例えば番組の終了時間、開始時間、出演者が異なっていればステップＳ１０４で同一ジャンル番組表の更新を行い一覧表示する。
【００６３】
複数のチューナを用いて嗜好性の高いジャンルごとに系列局サーチを行い、番組変更を監視するようにして、短時間で切り替えるようにしても良い。
【００６４】
（効果）
本実施の形態において、制御部１０７は、図３のステップＳ１〜ステップＳ１５迄の一連の処理を行った後、視聴番組の受信レベルの変化に対応した処理を行う機能を備えているため、移動に伴うまたは、時間ごとに変化する放送エリアにあった同一ジャンルの番組表を更新し表示することが可能である。
【００６５】
＜実施の形態５＞
（構成）
図１は、本実施の形態に係るデジタル放送受信装置２００のブロック図である。本実施の形態において、制御部１０７は、同一ジャンルの検出、同一ジャンル番組表の表示、番組の切り替えそれぞれに、視聴者が選択可能なスイッチを設ける機能を備える。すなわち制御部１０７は、外部からの選択により切り替え制御を停止する機能、外部からの選択により番組ジャンル切り替わり検出部１１１によるジャンル情報の抽出を停止する機能を備える。また、視聴可能な番組の一覧表示を行う機能を備えると共に、外部からの選択により一覧表示を停止する機能を備える。その他の構成は実施の形態１と同様であるため、ここでの詳細な説明を省略する。
【００６６】
（動作）
本実施の形態では、制御部１０７は例えば映像表示部１０４を介して、上述した項目を実行させるかどうかの選択ができる表示を行い、視聴者により選択される。制御部１０７は、この設定に従い上述した機能を働かせるかどうかの選択を行う。その他の動作は実施の形態１と同様であるため、ここでの詳細な説明は省略する。
【００６７】
（効果）
本実施の形態において、制御部１０７は、切り替え制御、ジャンル情報の抽出、一覧表示のそれぞれに、視聴者が選択可能なスイッチを設ける機能を備える。これにより、視聴者は実行するものとしないものの選択を行うことができる。視聴者は、全てをＯＦＦにしてこの一連の動作を行わないようにしても良い。
【図面の簡単な説明】
【００６８】
【図１】本発明に係るデジタル受信装置の構成を示すブロック図である。
【図２】本発明の実施の形態１を示すフローチャート図である。
【図３】本発明の実施の形態２を示すフローチャート図である。
【図４】本発明の実施の形態４を示すフローチャート図である。
【図５】本発明に係る切り替え条件のイメージを示す図である。
【図６】本発明に係る切り替え条件のイメージを示す図である。
【符号の説明】
【００６９】
１００  チューナ部、１０１  復調部、１０２  デマルチプレクス部、１０３  映像・音声デコード部、１０４  映像表示部、１０５  音声出力部、１０６  受信不可検出部、１０７  制御部、１０８  系列局記憶部、１０９  現在位置検出部、１１０  ＧＰＳ部、１１１  番組ジャンル切り替わり検出部、１１２  ＥＰＧ情報検出部、１１３  指定ジャンル登録部、１１４  指定ジャンルリスト作成部、１１５  キーワード登録部、１１６  ＯＳＤ表示回路部、１１７  切り替え設定部、２００  デジタル放送受信装置。
【図１】
2010068281.tif 000003
【図２】
2010068281.tif 000004
【図３】
2010068281.tif 000005
【図４】
2010068281.tif 000006
【図５】
2010068281.tif 000007
【図６】
2010068281.tif 000008